【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
円形軌道に沿ってコーンビームを用いて投影データを収集し、
心電同期再構成（ＥＧＲ）のための関数の正規化により得られる重み関数に従って前記投影データに対する重みを決定し、前記心電同期再構成（ＥＧＲ）のための関数は再構成で必要とされる回転の範囲にわたる総和により正規化され、
前記投影データ各々に対して前記重み関数に基づいて決定された重みにより重み付けをすることを特徴とする投影データ重み付け方法。
【請求項２】
前記心電同期再構成（ＥＧＲ）のための関数をｕＥＧＲ(φ(β))と表記し、前記ｕＥＧＲ(φ(β))の正規化により得られる重み関数をｗＥＧＲ(β、γ)と表記する、
前記ｕＥＧＲ(φ(β))はｎ＝−ＮＰＩからｎ＝ＮＰＩ（ＰＩ＝π）の範囲にわたるｕＥＧＲ(φ(βｃｎ))の総和により正規化される、
φは心拍位相を表し、βはビューアングルを表し、βｃｎは対向ビューアングルを表し、前記γは前記コーンビームのファン角を表す、
ことを特徴とする請求項１記載の投影データ重み付け方法。
【請求項３】
前記ｕＥＧＲ(φ(β))は、
【数１】
2012081279.tif 000001
により定義され、心拍位相φ０でスライスを再構成するものとし、σＥＧＲは経験則上のパラメータであることを特徴とする請求項２記載の投影データ重み付け方法。
【請求項４】
前記重みは、ＦＢ＋ＥＧＲ重み関数ｗＦＢ＋ＥＧＲ(β、γ)に従って決定され、前記ｗＦＢ＋ＥＧＲ(β、γ)は前記ＥＧＲ関数ｕＥＧＲ(φ(β))とファンビーム（ＦＢ）の関数ｕＦＢ(β)とに基づいており、前記ｕＥＧＲ(φ(β))と前記ｕＦＢ(β)の積はｎ＝−ＮＰＩからｎ＝ＮＰＩ（ＰＩ＝π）の範囲にわたるｕＦＢ(βｃｎ、γｃｎ)とｕＥＧＲ(φ(βｃｎ))の積の総和により正規化され、βｃｎは対向ビューアングルを表し、γｃｎは対向ファン角を表すことを特徴とする請求項２記載の投影データ重み付け方法。
【請求項５】
前記ｕＦＢ(β)は、
【数２】
2012081279.tif 000002
により定義され、Δβは所定の平滑化間隔を表し、βＳＴＡＲＴとβＥＮＤは画像再構成範囲の起点と終点をそれぞれであることを特徴とする請求項４記載の投影データ重み付け方法。
【請求項６】
前記関数ｐ()は、次式により与えられる
【数３】
2012081279.tif 000003
ことを特徴とする請求項５記載の投影データ重み付け方法。
【請求項７】
前記重みは、ｗＦＢ＋ＥＧＲ＋ｖＭＭＡＰ(β、γ)に従って決定され、前記ｗＦＢ＋ＥＧＲ＋ｖＭＭＡＰ(β、γ)は前記ＥＧＲ関数ｕＥＧＲ(φ(β))と前記ＦＢ関数ｕＦＢ(β)とビューに対応する体動マップ（ｖＭＭＡＰ）の関数ｕｖＭＭＡＰ(β)とに基づいており、前記ｕＥＧＲ(φ(β))と前記ｕＦＢ(β)と前記ｕｖＭＭＡＰ(β)との積はｎ＝−ＮＰＩからｎ＝ＮＰＩ（ＰＩ＝π）の範囲にわたるｕＦＢ(βｃｎ、γｃｎ)とｕＥＧＲ(φ(βｃｎ))とｕｖＭＭＡＰ(βｃｎ)の積の総和により正規化され、βｃｎは対向ビューアングルを表し、γｃｎは対向ファン角を表すことを特徴とする請求項４記載の投影データ重み付け方法。
【請求項８】
前記ｕｖＭＭＡＰ(β)は、次式により定義され、
【数４】
2012081279.tif 000004
ｃｈはチャンネル、ｍａｘＭｍａｐ＝ｍａｘ（ＭＭＡＰ（β））、ｍｉｎＭｍａｐ＝ｍｉｎ（ＭＭＡＰ（β））、ｐ（）はｐ（０）＝０、ｐ（１）＝１、ｐ（ｘ）で与えられ、ｐ（ｘ）はｘの増加に応じて０から１まで単調に増加することを特徴とする請求項７記載の投影データ重み付け方法。
【請求項９】
前記重み付けは逆投影前に実行されることを特徴とする請求項４記載の投影データ重み付け方法。
【請求項１０】
円形軌道に沿ってコーンビームを用いて投影データを収集し、
ビューに対応する体動マップ（ｖＭＭＡＰ）の関数の正規化により得られる重み関数に従って前記投影データに対する重みを決定し、前記ビューに対応する体動マップ（ｖＭＭＡＰ）の関数は再構成で必要とされる回転の範囲にわたる前記ビューに対応する体動マップ（ｖＭＭＡＰ）の関数の総和により正規化され、
前記投影データ各々に対して前記重み関数に基づいて決定された重みにより重み付けをする、前記γは前記コーンビームのファン角を表すことを特徴とする投影データ重み付け方法。
【請求項１１】
前記ビューに対応する体動マップ（ｖＭＭＡＰ）の関数をｕｖＭＭＡＰ(β)と表記し、前記重み関数をｗｖＭＭＡＰ(β、γ)と表記する、
前記ｕｖＭＭＡＰ(β)はｎ＝−ＮＰＩからｎ＝ＮＰＩ（ＰＩ＝π）の範囲にわたるｕｖＭＭＡＰ(βｃｎ))の総和により正規化される、
φは心拍位相を表し、βはビューアングルを表し、βｃｎは対向ビューアングルを表し、前記γは前記コーンビームのファン角を表すことを特徴とする請求項１０記載の投影データ重み付け方法。
【請求項１２】
前記ｕｖＭＭＡＰ(β)は、次式により定義され、
【数５】
2012081279.tif 000005
ｃｈはチャンネル、ｍａｘＭｍａｐ＝ｍａｘ（ＭＭＡＰ（β））、ｍｉｎＭｍａｐ＝ｍｉｎ（ＭＭＡＰ（β））、ｐ（）はｐ（０）＝０、ｐ（１）＝１、ｐ（ｘ）で与えられ、ｐ（ｘ）はｘの増加に応じて０から１まで単調に増加することを特徴とする請求項１１記載の投影データ重み付け方法。
【請求項１３】
前記重みは、ｗＦＢ＋ｖＭＭＡＰ(β、γ)に従って決定され、前記ｗＦＢ＋ｖＭＭＡＰ(β、γ)は前記ｕｖＭＭＡＰ(β)とファンビーム（ＦＢ）の関数ｕＦＢ(β)とに基づいており、前記ｕｖＭＭＡＰ(β)と前記ｕＦＢ(β)との積はｎ＝−ＮＰＩからｎ＝ＮＰＩ（ＰＩ＝π）の範囲にわたるｕＦＢ(βｃｎ、γｃｎ)とｕｖＭＭＡＰ(βｃｎ)との積の総和により正規化され、βｃｎは対向ビューアングルを表し、γｃｎは対向ファン角を表すことを特徴とする請求項１１記載の投影データ重み付け方法。
【請求項１４】
前記ｕＦＢ(β)は、
【数６】
2012081279.tif 000006
により定義され、Δβは所定の平滑化間隔を表し、βＳＴＡＲＴとβＥＮＤは画像再構成範囲の起点と終点をそれぞれであることを特徴とする請求項１３記載の投影データ重み付け方法。
【請求項１５】
前記関数ｐ()は、次の式で与えられる
【数７】
2012081279.tif 000007
ことを特徴とする請求項１４記載の投影データ重み付け方法。
【請求項１６】
前記重み付けは逆投影前に実行されることを特徴とする請求項１１記載の投影データ重み付け方法。
【請求項１７】
円形軌道に沿ってコーンビームを用いて投影データを収集し、
レイに対応する体動マップ（ｒＭＭＡＰ）の関数の正規化により得られる重み関数に従って前記投影データに対する重みを決定し、前記レイに対応する体動マップ（ｒＭＭＡＰ）の関数は再構成で必要とされる回転の範囲にわたる前記レイに対応する体動マップ（ｒＭＭＡＰ）の関数の総和により正規化され、
前記投影データ各々に対して前記重み関数に基づいて決定された重みにより重み付けをすることを特徴とする投影データ重み付け方法。
【請求項１８】
前記レイに対応する体動マップ（ｒＭＭＡＰ）の関数をｕｖＭＭＡＰ(β)と表記し、前記重み関数をｗｖＭＭＡＰ(β、γ)と表記する、
前記ｕｖＭＭＡＰ(β)はｎ＝−ＮＰＩからｎ＝ＮＰＩ（ＰＩ＝π）の範囲にわたるｕｖＭＭＡＰ(βｃｎ))の総和により正規化する、βはビューアングルを表し、γはファン角を表し、βｃｎは対向ビューアングルを表し、前記γは前記コーンビームのファン角を表すことを特徴とする請求項１７記載の投影データ重み付け方法。
【請求項１９】
前記ｕｖＭＭＡＰ(β)は画像面に最も近いビューには重み”１”を割り当て、他のビューには対向レイＡＢ、ＢＡ間での体動量に応じて決定される重みを割り当て、前記体動量ｍ（ＡＢ）は、ｍ（ＡＢ）＝ｆ（｜ｇ(ＢＡ)−ｇ（ＡＢ）｜）、ここでｇ（＊）は測定生データ、ｆ（＊）はｆ（０）で１を示し、ｆ（ｔ）のｔの増加に従って０に近似していく所定の関数であることを特徴とする請求項１８記載の投影データ重み付け方法。
【請求項２０】
前記重みは、ＦＢ＋ｖＭＭＡＰ重み関数ｗＦＢ＋ｖＭＭＡＰ(β、γ)に従って決定され、前記ｗＦＢ＋ｖＭＭＡＰ(β、γ)は前記ｕｖＭＭＡＰ(β、γ)とファンビーム（ＦＢ）の関数ｕＦＢ(β)とに基づいており、前記ｕｖＭＭＡＰ(β、γ)と前記ｕＦＢ(β)との積はｎ＝−ＮＰＩからｎ＝ＮＰＩ（ＰＩ＝π）の範囲にわたるｕＦＢ(βｃｎ、γｃｎ)とｕｖＭＭＡＰ(βｃｎ、γｃｎ)の積の総和により正規化され、βｃｎは対向ビューアングルを表し、γｃｎは対向ファン角を表すことを特徴とする請求項１８記載の投影データ重み付け方法。
【請求項２１】
前記ｕＦＢ(β)は、
【数８】
2012081279.tif 000008
により定義され、Δβは所定の平滑化間隔を表し、βＳＴＡＲＴとβＥＮＤは画像再構成範囲の起点と終点をそれぞれであることを特徴とする請求項２０記載の投影データ重み付け方法。
【請求項２２】
前記関数ｐ()は、次の式で与えられる
【数９】
2012081279.tif 000009
ことを特徴とする請求項２１記載の投影データ重み付け方法。
【請求項２３】
前記重みは、ｗＦＢ＋ＥＧＲ＋ｖＭＭＡＰ(β、γ)に従って決定され、前記ｗＦＢ＋ＥＧＲ＋ｖＭＭＡＰ(β、γ)は心電同期再構成（ＥＧＲ）の関数ｕＥＧＲ(φ(β))と前記ＦＢ関数ｕＦＢ(β)と前記ｖＭＭＡＰ関数ｕｖＭＭＡＰ(β)とに基づいており、前記ｕＦＢ(β、γ)と前記ｕＥＧＲ(φ(β))と前記ｕｖＭＭＡＰ(β、γ)との積はｎ＝−ＮＰＩからｎ＝ＮＰＩ（ＰＩ＝π）の範囲にわたるｕＦＢ(βｃｎ、γｃｎ)とｕＥＧＲ(φ(βｃｎ))とｕｖＭＭＡＰ(βｃｎ、γｃｎ)の積の総和により正規化され、βｃｎは対向ビューアングルを表し、γｃｎは対向ファン角を表すことを特徴とする請求項２１記載の投影データ重み付け方法。
【請求項２４】
前記重み付けは逆投影前に実行されることを特徴とする請求項１８記載の投影データ重み付け方法。
【請求項２５】
ヘリカル軌道に沿ってコーンビームを用いて投影データを収集し、
心電同期再構成の関数とコーンビームの関数とに基づく重み関数に従って前記投影データに対する重みを決定し、前記心電同期再構成の関数と前記コーンビームの関数は再構成で必要とされる回転の範囲にわたる前記心電同期再構成の関数と前記コーンビームの関数の総和により正規化される、
前記投影データ各々に対して前記重み関数に基づいて決定された重みにより重み付けをすることを特徴とする投影データ重み付け方法。
【請求項２６】
前記心電同期再構成の関数をｕＥＧＲ(φ(β))と表記し、前記コーンビームの関数をｕＣＢＷ(β、ν)と表記し、前記重み関数をｗＣＢＷ＋ＥＧＲ(β、γ、ν)と表記し、前記ｕＥＧＲ(φ(β))と前記ｕＣＢＷ(β、ν)はｎ＝−ＮＰＩからｎ＝ＮＰＩ（ＰＩ＝π）の範囲にわたるｕＥＧＲ(φ(βｃｎ))とｕＣＢＷ(βｃｎ、γｃｎ、νｃｎ)の総和により正規化される、(βｃｎ、γｃｎ、νｃｎ)は（対向ビューアングル、ファン角、対向垂直座標）を表すことを特徴とする求項25記載の投影データ重み付け方法。
【請求項２７】
前記ｕＥＧＲ(φ(β))は、
【数１０】
2012081279.tif 000010
により定義され、心拍位相φ０でスライスを再構成するものとし、σＥＧＲは経験則上のパラメータであることを特徴とする請求項２６記載の投影データ重み付け方法。
【請求項２８】
前記ｕＣＢＷ(β、ν)は、ｕＦＢ(β、γ)ｕＣＢ(ν)により定義されることを特徴とする請求項２６記載の投影データ重み付け方法。
【請求項２９】
前記ｕＦＢ(β)は、
【数１１】
2012081279.tif 000011
により定義され、Δβは所定の平滑化間隔を表し、βＳＴＡＲＴとβＥＮＤは画像再構成範囲の起点と終点をそれぞれであることを特徴とする請求項２８記載の投影データ重み付け方法。
【請求項３０】
前記関数ｐ()は、次の式で与えられる
【数１２】
2012081279.tif 000012
ことを特徴とする請求項２８記載の投影データ重み付け方法。
【請求項３１】
前記ｕＣＢ(ν)は、
【数１３】
2012081279.tif 000013
により定義されることを特徴とする請求項２８記載の投影データ重み付け方法。
【請求項３２】
前記重みは、ｗＦＢ＋ＥＧＲ＋ｖＭＭＡＰ(β、γ、ν)に従って決定され、前記ｗＦＢ＋ＥＧＲ＋ｖＭＭＡＰ(β、γ、ν)は前記ｕＥＧＲ(φ(β))と前記ｕＣＢＷ(β、ν)とビューに対応する体動マップ（ｖＭＭＡＰ）の関数ｕｖＭＭＡＰ(β)とに基づいており、前記ｕＥＧＲ(φ(β))と前記ｕＣＢＷ(β、ν)と前記ｕｖＭＭＡＰ(β)との積はｎ＝−ＮＰＩからｎ＝ＮＰＩ（ＰＩ＝π）の範囲にわたるｕＣＢＷ(βｃｎ、γｃｎ、νｃｎ)とｕＥＧＲ(φ(βｃｎ))とｕｖＭＭＡＰ(βｃｎ)の積の総和により正規化され、(βｃｎ、γｃｎ、νｃｎ)は（対向ビューアングル、ファン角、対向垂直座標）を表すことを特徴とする請求項２８記載の投影データ重み付け方法。
【請求項３３】
前記ｕｖＭＭＡＰ(β)は、次式により定義され、
【数１４】
2012081279.tif 000014
ｃｈはチャンネル、ｍａｘＭｍａｐ＝ｍａｘ（ＭＭＡＰ（β））、ｍｉｎＭｍａｐ＝ｍｉｎ（ＭＭＡＰ（β））、ｐ（）はｐ（０）＝０、ｐ（１）＝１、ｐ（ｘ）のいずれかであり、ｐ（ｘ）はｘの増加に応じて０から１まで単調に増加することを特徴とする請求項３２記載の投影データ重み付け方法。
【請求項３４】
前記重み付けは逆投影前に実行されることを特徴とする請求項２６記載の投影データ重み付け方法。
【請求項３５】
ヘリカル軌道に沿ってコーンビームを用いて投影データを収集し、
コーンビームの関数とビューに対応する体動マップ（ｖＭＭＡＰ）の関数とに基づく重み関数に従って前記投影データに対する重みを決定し、前記コーンビームの関数と前記ビューに対応する体動マップ（ｖＭＭＡＰ）の関数は再構成で必要とされる回転の範囲にわたる前記コーンビームの関数と前記ビューに対応する体動マップ（ｖＭＭＡＰ）の関数の総和により正規化される、
前記投影データ各々に対して前記重み関数に基づいて決定された重みにより重み付けをすることを特徴とする投影データ重み付け方法。
【請求項３６】
前記コーンビームの関数をｕＣＢＷ(β、ν)と表記し、前記ビューに対応する体動マップ（ｖＭＭＡＰ）の関数をｕｖＭＭＡＰ(β)と表記し、前記重み関数をｗＣＢＷ＋ｖＭＭＡＰ(β、γ、ν)と表記し、β、γ、νはビューアングル、ファン角、垂直座標を表し、前記ｕｖＭＭＡＰ(β)と前記ｕＣＢＷ(β、ν)はｎ＝−ＮＰＩからｎ＝ＮＰＩ（ＰＩ＝π）の範囲にわたるｕｖＭＭＡＰ(βｃｎ)とｕＣＢＷ(βｃｎ、γｃｎ、νｃｎ)の総和により正規化され、(βｃｎ、γｃｎ、νｃｎ)は（対向ビューアングル、ファン角、対向垂直座標）を表すことを特徴とする請求項３５記載の投影データ重み付け方法。
【請求項３７】
前記ｕＣＢＷ(β、ν)は、ｕＦＢ(β、γ)ｕＣＢ(ν)により定義されることを特徴とする請求項３６記載の投影データ重み付け方法。
【請求項３８】
前記ｕＦＢ(β)は、
【数１５】
2012081279.tif 000015
により定義され、Δβは所定の平滑化間隔を表し、βＳＴＡＲＴとβＥＮＤは画像再構成範囲の起点と終点をそれぞれであることを特徴とする請求項３７記載の投影データ重み付け方法。
【請求項３９】
前記関数ｐ()は、次の式で与えられる
【数１６】
2012081279.tif 000016
ことを特徴とする請求項３８記載の投影データ重み付け方法。
【請求項４０】
前記ｕＣＢ(ν)は、
【数１７】
2012081279.tif 000017
により定義されることを特徴とする請求項３７記載の投影データ重み付け方法。
【請求項４１】
前記ｕｖＭＭＡＰ(β)は、次式により定義され、
【数１８】
2012081279.tif 000018
ｃｈはチャンネル、ｍａｘＭｍａｐ＝ｍａｘ（ＭＭＡＰ（β））、ｍｉｎＭｍａｐ＝ｍｉｎ（ＭＭＡＰ（β））、ｐ（）はｐ（０）＝０、ｐ（１）＝１、ｐ（ｘ）のいずれかであり、ｐ（ｘ）はｘの増加に応じて０から１まで単調に増加することを特徴とする請求項３６記載の投影データ重み付け方法。
【請求項４２】
前記重み付けは逆投影前に実行されることを特徴とする請求項３６記載の投影データ重み付け方法。
【請求項４３】
ヘリカル軌道に沿ってコーンビームを用いて投影データを収集し、
コーンビームの関数ｕＣＢＷ(β、ν)とレイに対応する体動マップ（ｒＭＭＡＰ）の関数ｕｖＭＭＡＰ(β、γ)とに基づく重み関数ｗＣＢＷ＋ｖＭＭＡＰ(β、γ、ν)に従って前記投影データに対する重みを決定し、β、γ、νはビューアングル、ファン角、垂直座標を表し、前記ｕｖＭＭＡＰ(β、γ)と前記ｕＣＢＷ(β、ν)はｎ＝−ＮＰＩからｎ＝ＮＰＩ（ＰＩ＝π）の範囲にわたるｕｖＭＭＡＰ(βｃｎ、γｃｎ)とｕＣＢＷ(βｃｎ、γｃｎ、νｃｎ)の総和により正規化され、(βｃｎ、γｃｎ、νｃｎ)は（対向ビューアングル、ファン角、対向垂直座標）を表し、
前記投影データ各々に対して前記ｗＣＢＷ＋ｖＭＭＡＰ(β、γ、ν)に基づいて決定された重みにより重み付けをすることを特徴とする投影データ重み付け方法。
【請求項４４】
前記コーンビームの関数をｕＣＢＷ(β、ν)と表記し、前記レイに対応する体動マップ（ｒＭＭＡＰ）の関数をｕｖＭＭＡＰ(β、γ)と表記し、前記重み関数をｗＣＢＷ＋ｖＭＭＡＰ(β、γ、ν)と表記し、β、γ、νはビューアングル、ファン角、垂直座標を表し、前記ｕｖＭＭＡＰ(β、γ)と前記ｕＣＢＷ(β、ν)はｎ＝−ＮＰＩからｎ＝ＮＰＩ（ＰＩ＝π）の範囲にわたるｕｖＭＭＡＰ(βｃｎ、γｃｎ)とｕＣＢＷ(βｃｎ、γｃｎ、νｃｎ)の総和により正規化され、(βｃｎ、γｃｎ、νｃｎ)は（対向ビューアングル、ファン角、対向垂直座標）を表すことを特徴とする請求項４３記載の投影データ重み付け方法。
【請求項４５】
前記ｕＣＢＷ(β、ν)は、ｕＦＢ(β、γ)ｕＣＢ(ν)により定義されることを特徴とする請求項４４記載の投影データ重み付け方法。
【請求項４６】
前記ｕＦＢ(β)は、
【数１９】
2012081279.tif 000019
により定義され、Δβは所定の平滑化間隔を表し、βＳＴＡＲＴとβＥＮＤは画像再構成範囲の起点と終点をそれぞれであることを特徴とする請求項４５記載の投影データ重み付け方法。
【請求項４７】
前記関数ｐ()は、次の式で与えられる
【数２０】
2012081279.tif 000020
ことを特徴とする請求項４０記載の投影データ重み付け方法。
【請求項４８】
前記ｕＣＢ(ν)は、
【数２１】
2012081279.tif 000021
により定義されることを特徴とする請求項４５記載の投影データ重み付け方法。
【請求項４９】
前記ｕｖＭＭＡＰ(β、γ)は画像面に最も近いビューには重み”１”を割り当て、他のビューには対向レイＡＢ、ＢＡ間での体動量に応じて決定される重みを割り当て、前記体動量ｍ（ＡＢ）は、ｍ（ＡＢ）＝ｆ（｜ｇ(ＢＡ)−ｇ（ＡＢ）｜）、ここでｇ（＊）は測定生データ、ｆ（＊）はｆ（０）で１を示し、ｆ（ｔ）のｔの増加に従って０に近似していく所定の関数であることを特徴とする請求項４４記載の投影データ重み付け方法。
【請求項５０】
前記重みは、ｗＣＢＷ＋ＥＧＲ＋ｖＭＭＡＰ(β、γ、ν)に従って決定され、前記ｗＣＢＷ＋ＥＧＲ＋ｖＭＭＡＰ(β、γ、ν)は心電同期再構成（ＥＧＲ）の関数ｕＥＧＲ(φ(β))と前記関数ｕＣＢＷ(β、ν)と前記関数ｕｖＭＭＡＰ(β、γ)とに基づいており、前記ｕＣＢＷ(β、ν)と前記ｕＥＧＲ(φ(β))と前記ｕｖＭＭＡＰ(β、γ)との積はｎ＝−ＮＰＩからｎ＝ＮＰＩ（ＰＩ＝π）の範囲にわたるｕＣＢＷ(βｃｎ、γｃｎ、νｃｎ)とｕｖＭＭＡＰ(βｃｎ、γｃｎ)とｕＥＧＲ(φ(βｃｎ))との積の総和により正規化され、(βｃｎ、γｃｎ、νｃｎ)は（対向ビューアングル、ファン角、対向垂直座標）を表すことを特徴とする請求項４４記載の投影データ重み付け方法。
【請求項５１】
前記重み付けは逆投影前に実行されることを特徴とする請求項４４記載の投影データ重み付け方法。